(57)【要約】      （修正有）【課題】安価に且つ簡易に反射／透過ミラー領域をミラー素子に成形することができるモニター付バックミラーを提供する。【解決手段】モニター付バックミラーに適用されるミラー素子の反射膜をレーザ加工すると、レーザ光によって反射膜を除去した部分が光を透過し、除去されずに残った部分が光を反射することになる。従って、レーザ光の照射面積に応じて光の透過率を容易に変更することができる。さらに、モニターの画面に対応する反射／透過ミラー領域Ｓをレーザ加工するにあたって、同一形状のセル１０をマトリックス状に配列し、各セル１０を、レーザ光によって不規則な模様に形成させている。【選択図】図２
2013023088.tif 000002
【特許請求の範囲】
【請求項１】
透明基板と、この透明基板の裏面に設けられた反射膜と、を有するミラー素子には、反射／透過ミラー領域が設けられ、この反射／透過ミラー領域の裏面側にモニターが設けられているモニター付バックミラーにおいて、
前記反射膜にレーザ光を照射することで前記反射／透過ミラー領域が形成され、前記反射／透過ミラー領域には、同一形状のセルがマトリックス状に配列され、前記各セルには、前記レーザ光によって不規則な模様が形成されていることを特徴とするモニター付バックミラー。
【請求項２】
前記セルは、レーザ光の照射によって形成された光透過部と、レーザ光が照射されない光不透過部と、を有し、前記セル内には、前記光透過部又は前記光不透過部が不規則に点在させられていることを特徴とする請求項１記載のモニター付バックミラー。
【請求項３】
点在する前記光透過部又は前記光不透過部は、矩形をなすことを特徴とする請求項２記載のモニター付バックミラー。
【発明の詳細な説明】
【技術分野】
【０００１】
本発明は、ガラス等の透明基板と、この透明基板の裏面に設けられた反射膜と、を有するミラー素子における反射／透過ミラー領域の裏面側にモニターが設けられているモニター付バックミラーに関するものである。
【背景技術】
【０００２】
従来、このような分野の技術として、特開２００９−１２６２２３号公報がある。この公報に記載されたモニター付バックミラーのミラー素子は、反射特性と透過特性を向上させるために、ガラス基板の背面に半透過反射膜が成膜され、この半透過反射膜は、ガラス基板の背面に高屈折率材料膜と、低屈折率材料膜と、高屈折率材料膜との３層を順次積層した誘電体多層膜である。また、この誘電体多層膜の背面には、樹脂板、樹脂フィルム、塗装などからなる暗色のマスク部材が設けられている。そして、ミラー素子において、モニターが配置される領域にはマスク部材に開口が形成されている。従って、この開口領域にあっては、モニターの点灯時には、誘電体多層膜を通してモニターを観ることができ、モニターの消灯時には、誘電体多層膜によってミラーとして機能させることができる。
【先行技術文献】
【特許文献】
【０００３】
【特許文献１】特開２００９−１２６２２３号公報
【発明の概要】
【発明が解決しようとする課題】
【０００４】
しかしながら、前述したようにミラー素子にあっては、ガラス基板の背面の全体に渡って誘電体多層膜が形成され、誘電体多層膜を反射膜として機能させるためにマスク部材を必要とし、このマスク部材にモニター用の開口を形成させる必要があるので、誘電体多層膜自体の成膜が煩雑で構造が複雑化するので、安価に且つ簡易に反射／透過ミラー領域を成形し難いといった問題点がある。
【０００５】
本発明は、安価に且つ簡易に反射／透過ミラー領域をミラー素子に成形することができるモニター付バックミラーを提供することを目的とする。
【課題を解決するための手段】
【０００６】
本発明は、透明基板と、この透明基板の裏面に設けられた反射膜と、を有するミラー素子には、反射／透過ミラー領域が設けられ、この反射／透過ミラー領域の裏面側にモニターが設けられているモニター付バックミラーにおいて、
反射膜にレーザ光を照射することで反射／透過ミラー領域が形成され、反射／透過ミラー領域には、同一形状のセルがマトリックス状に配列され、各セルには、レーザ光によって不規則な模様が形成されていることを特徴とする。
【０００７】
このモニター付きバックミラーに適用されるミラー素子の反射膜をレーザ加工すると、レーザ光によって反射膜を除去した部分が光を透過し、除去されずに残った部分が光を反射することになる。従って、レーザ光の照射面積に応じて光の透過率を容易に変更することができる。しかも、従来のような誘電体多層膜を利用する必要がないので、安価に且つ簡易に反射／透過ミラー領域をミラー素子に成形することができる。さらに、反射／透過ミラー領域において、反射膜をレーザ光によって単純なドット模様や格子模様にすると、ピクセル内でのＲＧＢの配列（例えば、ストライプ配列、デルタ配列、モザイク配列など）に起因して、ギラツキやモアレが発生し易く、モニターの画面が観にくくなる。そこで、バックミラーに設けられるモニターの画面では、ＲＧＢからなるピクセルがマトリックス状に配列されていることに着目し、レーザ加工される反射／透過ミラー領域において、同一形状のセルをマトリックス状に配列し、各セルを、レーザ光によって不規則な模様に形成させている。このような工夫によって、同一形状のセルを反射／透過ミラー領域にマトリックス状に配列させても、モニターの画面にギラツキやモアレが発生し難い。しかも、反射／透過ミラー領域にあっては、不規則な模様をもったセルをマトリックス状に規則正しく整列させているので、セルのレーザ光走査パターンを決めて、そのパターンを規則的に繰り返してゆくだけで良いので、レーザ光の走査プログラムを複雑化させることがなく、ピクセル内でのＲＧＢの配列（例えば、ストライプ配列、デルタ配列、モザイク配列など）の如何に拘わらず、モニターの画面にギラツキやモアレを容易に発生し難くすることができる。
【０００８】
また、セルは、レーザ光の照射によって形成された光透過部と、レーザ光が照射されない光不透過部と、を有し、セル内には、光透過部又は光不透過部が不規則に点在させられている。
光透過部又は光不透過部を線状にすると、設計時に反射／透過率を設定し難いが、光透過部又は光不透過部を点在させるようにすることで、設計時に、光透過部と光不透過部との総面積比を特定し易く、セルの全面積における光不透過部（光透過部）の総面積比が光反射率（光透過率）になるので、その計算が容易となり、反射／透過比率の設計変更を容易に行うことができる。
【０００９】
また、点在する光透過部又は光不透過部は、矩形をなす。
このような構成を採用すると、反射／透過比率の計算が極めて容易になる。
【発明の効果】
【００１０】
本発明によれば、安価に且つ簡易に反射／透過ミラー領域をミラー素子に成形することができる。
【図面の簡単な説明】
【００１１】
【図１】（ａ）は、本発明に係るモニター付バックミラーの一実施形態を示す正面図、（ｂ）は、（ａ）のＡ−Ａ線に沿う断面図である。
【図２】（ａ）は、反射／透過ミラー領域におけるセルの配列を示す図、（ｂ）は一セルを示す図である。
【図３】（ａ）は他の変形例に係るセルを示す図、（ｂ）は、更に他の変形例に係るセルを示す図である。
【発明を実施するための形態】
【００１２】
以下、図面を参照しつつ本発明に係るモニター付バックミラーの好適な実施形態について詳細に説明する。
【００１３】
図１に示されるように、バックミラーの一例であるインナーミラー１は、ハウジング２の開口側にミラー素子３が固定され、ハウジング２内には、液晶のモニター４が収容されている。そして、ミラー素子３にあっては、モニター４の画面４ａに対面する領域が反射／透過ミラー領域Ｓになっている。
【００１４】
ミラー素子３は、透明なガラス又は樹脂からなる透明基板３ａと、この透明基板３ａの背面に銀膜を形成してなる反射膜３ｂと、反射膜３ｂの腐食や傷つきを防止するためのマスク３ｃと、からなる。そして、ミラー素子３の反射／透過ミラー領域Ｓは、レーザ加工が施されている。レーザ光は、ミラー素子３の透明基板３ａ側から入射させて、反射膜３ｂ及びマスク３ｃを除去することができる。なお、反射膜３ｂは、蒸着、銀引き、真空メッキなどで形成することができ、銀に代えてアルミであってもよい。
【００１５】
図２に示されるように、反射／透過ミラー領域Ｓの全面に渡って、所定の模様が形成されたセル１０がマトリックス状に配列され、各セル１０は、レーザ光によって同一の形状に成形されている。各セル１０には、レーザ光によって不規則な模様が形成されている。セル１０は、一辺が０．７９ｍｍの正方形のマス目をなす。この場合、モニター４のピクセルの配列ピッチは約０．３ｍｍである。
【００１６】
セル１０は、レーザ光の照射によって形成された光透過部１０ａと、レーザ光が照射されない光不透過部１０ｂと、を有し、セル１０内には、正方形からなる同一形状の光不透過部１０ｂが不規則に点在させられている。この場合のセル１０は、全ての光不透過部１０ｂをセル１０の各辺Ｌ１〜Ｌ４に投影されたときに、各辺Ｌ１〜Ｌ４で隙間ができないような配置関係をもって、正方形の光不透過部１０ｂは不規則で且つ散らばるように点在させられている。
【００１７】
このモニター付きインナーミラー１に適用されるミラー素子３の反射膜３ｂ及びマスク３ｃを同時にレーザ加工すると、レーザ光によって反射膜３ｂ及びマスク３ｃを除去した部分が光を透過し、除去されずに残った部分が光を反射することになる。従って、レーザ光の照射面積に応じて光の透過率を容易に変更することができる。しかも、従来のような誘電体多層膜を利用する必要がないので、安価に且つ簡易に反射／透過ミラー領域Ｓをミラー素子３に成形することができる。
【００１８】
さらに、反射／透過ミラー領域Ｓにおいて、反射膜３ｂをレーザ光によって規則正しい単純なドット模様や格子模様にすると、ピクセル内でのＲＧＢの配列（例えば、ストライプ配列、デルタ配列、モザイク配列など）に起因して、ギラツキやモアレが発生し易く、モニター４の画面４ａが観にくくなる。そこで、インナーミラー１に設けられるモニター４の画面４ａでは、ＲＧＢからなるピクセルがマトリックス状に配列されていることに着目し、レーザ加工される反射／透過ミラー領域Ｓにおいて、同一形状のセル１０をマトリックス状に配列し、各セル１０を、レーザ光によって不規則な模様に形成させている。
【００１９】
このような工夫によって、同一形状のセル１０を反射／透過ミラー領域Ｓにマトリックス状に配列させても、モニター４の画面４ａにギラツキやモアレが発生し難い。しかも、反射／透過ミラー領域Ｓにあっては、不規則な模様をもったセルをマトリックス状に規則正しく整列させているので、セル１０のレーザ光走査パターンを決めて、そのパターンを規則的に繰り返してゆくだけで良いので、レーザ光の走査プログラムを複雑化させることがなく、ピクセル内でのＲＧＢの配列（例えば、ストライプ配列、デルタ配列、モザイク配列など）の如何に拘わらず、モニター４の画面４ａにギラツキやモアレを容易に発生し難くすることができる。
【００２０】
また、光透過部又は光不透過部を線状にすると、設計時に反射／透過率を設定し難いが、光不透過部１０ｂを点在させるようにすることで、設計時に、光透過部１０ａと光不透過部１０ｂとの総面積比を特定し易く、セル１０の全面積における光不透過部１０ｂの総面積が光反射率になるので、その計算が容易となり、反射／透過比率の設計変更を容易に行うことができる。そして、光不透過部１０ｂを同一形状の矩形（長方形又は正方形）にすることで、反射／透過比率の計算が極めて容易になる。
【００２１】
本発明は、前述した実施形態に限定されないことは言うまでもない。
【００２２】
図３（ａ）に示されるように、セル２０は、レーザ光の照射によって形成された光透過部２０ａと、レーザ光が照射されない光不透過部２０ｂと、を有し、セル２０内には、小型の正方形からなる同一形状の光不透過部２０ｂが不規則に点在させられている。この場合のセル２０は、図２のセル１０と同様に、全ての光不透過部２０ｂをセル２０の各辺Ｌ１〜Ｌ４に投影されたときに、各辺Ｌ１〜Ｌ４で隙間ができないような配置関係をもって、正方形の光不透過部２０ｂは不規則で且つ散らばるように点在させられている。
【００２３】
図３（ｂ）に示されるように、セル３０は、レーザ光の照射によって形成された光透過部３０ａと、レーザ光が照射されない光不透過部３０ｂと、を有し、セル３０内には、大きさの異なる矩形のブロックを重ねた形状や、大きさの同じの矩形のブロックを重ねたような形状の光不透過部３０ｂが不規則に点在させられている。この場合のセル３０は、図２のセル１０と同様に、全ての光不透過部３０ｂをセル３０の各辺Ｌ１〜Ｌ４に投影されたときに、各辺Ｌ１〜Ｌ４で隙間ができないような配置関係をもって、光不透過部３０ｂは不規則で且つ散らばるように点在させられている。
【００２４】
また、図２及び図３において、光不透過部１０ｂ，２０ｂ，３０ｂを黒塗りで表したが、黒塗りの部分が、レーザ加工される光透過部１０ａ，２０ａ，３０ａであってもよい。
【００２５】
また、本発明に適用されるミラー素子３にあっては、マスク３ｃが無い場合もある。
【００２６】
本発明に係るバックミラーは、サイドミラーであってもよい。
【符号の説明】
【００２７】
１…インナーミラー（バックミラー）、３…ミラー素子、３ａ…透明基板、３ｂ…反射膜、４…モニター、１０，２０，３０…セル、１０ａ，２０ａ，３０ａ…光透過部、１０ｂ，２０ｂ，３０ｂ…光不透過部、Ｓ…反射／透過ミラー領域。
【図１】
2013023088.tif 000003
【図２】
2013023088.tif 000004
【図３】
2013023088.tif 000005